(57)【特許請求の範囲】
【請求項１】
洗面化粧台の洗面器において、
水槽の形態を有する洗面ボウルと、
前記洗面ボウルに隣接して設けられたカウンターと、
前記カウンターの側縁部において前記カウンターの側縁表面から上方へ延びたサイドガードと、
前記洗面ボウルの前縁部および前記カウンターの前縁部において前記洗面ボウルの前縁表面および前記カウンターの前縁表面から上方へ延びたフロントガードとを備え、
前記フロントガードでは、前記カウンターの前方における高さが最も高く、前記洗面ボウルの中心部の前方における高さが最も低く、高さが曲線的に変化するように形成され、
前記カウンターは、バックガードから前記フロントガードまで延びていることを特徴とする洗面器。
【請求項２】
前記カウンターは、前記洗面ボウルの一方の側に隣接して設けられた第１カウンターと、前記洗面ボウルの他方の側に隣接して設けられた第２カウンターとを有することを特徴とする請求項１に記載の洗面器。
【請求項３】
前記第１カウンターおよび前記第２カウンターのうちの少なくとも一方のカウンターの下方には、引出し収納部が設けられていることを特徴とする請求項２に記載の洗面器。
【発明の詳細な説明】
【０００１】
【発明の属する技術分野】
本発明は、洗面化粧台の洗面器に関するものである。
【０００２】
【従来の技術】
従来、洗面化粧台の洗面器において、洗面ボウルの片側にカウンターが設けられ、洗面ボウルおよびカウンターの四方に比較的高いガードが形成された構成が知られている。また、洗面ボウルの両側にカウンターが設けられ、洗面ボウルおよびカウンターの前方に非常に低いフランジが形成され、他の三方に比較的高いガードが形成された構成が知られている。
【０００３】
【発明が解決しようとする課題】
洗面ボウルおよびカウンターの四方に比較的高いガードが形成された従来の洗面器では、水の飛散および溢れを気にすることなくカウンターを洗浄することができるが、洗面ボウルの前方においてもガードが比較的高いため、ガードが邪魔になって洗面ボウルでの洗面動作を行い難いという不都合があった。
【０００４】
一方、洗面ボウルおよびカウンターの前方に非常に低いフランジが形成されされた従来の洗面器では、フランジによって洗面ボウルでの洗面動作が妨げられることはないが、カウンターの前方に形成されたフランジが非常に低いため、カウンターを洗浄する際に水の飛散および溢れを気にする必要があるという不都合があった。
【０００５】
本発明は、前述の課題に鑑みてなされたものであり、洗面ボウルでの洗面動作を行い易く、且つ水の飛散および溢れを気にすることなくカウンターを洗浄することのできる、洗面化粧台の洗面器を提供することを目的とする。
【０００６】
【課題を解決するための手段】
前記課題を解決するために、本発明では、洗面化粧台の洗面器において、
水槽の形態を有する洗面ボウルと、
前記洗面ボウルに隣接して設けられたカウンターと、
前記カウンターの側縁部において前記カウンターの側縁表面から上方へ延びたサイドガードと、
前記洗面ボウルの前縁部および前記カウンターの前縁部において前記洗面ボウルの前縁表面および前記カウンターの前縁表面から上方へ延びたフロントガードとを備え、
前記フロントガードでは、前記カウンターの前方における高さが最も高く、前記洗面ボウルの中心部の前方における高さが最も低く、高さが曲線的に変化するように形成され、
前記カウンターは、バックガードから前記フロントガードまで延びていることを特徴とする洗面器を提供する。
【０００７】
本発明の好ましい態様によれば、前記カウンターは、前記洗面ボウルの一方の側に隣接して設けられた第１カウンターと、前記洗面ボウルの他方の側に隣接して設けられた第２カウンターとを有する。この場合、前記第１カウンターおよび前記第２カウンターのうちの少なくとも一方のカウンターの下方には、引出し収納部が設けられていることが好ましい。
【０００８】
【発明の実施の形態】
本発明では、洗面ボウルに隣接して設けられたカウンターの側縁部にサイドガードが設けられ、洗面ボウルの前縁部およびカウンターの前縁部にフロントガードが設けられている。そして、カウンターの前方における高さよりも洗面ボウルの前方における高さの方が実質的に低くなるように、フロントガードが形成されている。
【０００９】
具体的には、たとえば洗面ボウルの一方の側に第１カウンターが設けられ、他方の側に第２カウンターが設けられている。そして、フロントガードは、たとえば第１カウンターおよび第２カウンターの前方において最も高く、洗面ボウルの前方にかけて曲線的に低くなっている。換言すれば、フロントガードは、両側において最も高く、その中央に向かって曲線的に低くなり、洗面ボウルの中心部の前方において最も低くなっている。
【００１０】
したがって、本発明では、カウンターが比較的高いサイドガードおよびフロントガードの比較的高い部分によって包囲されるので、水の飛散および溢れを気にすることなくカウンターを洗浄することができる。また、フロントガードが洗面ボウルの前方において比較的低く（最も低く）なるので、フロントガードによって洗面ボウルでの洗面動作が妨げられることはない。
【００１１】
以上のように、本発明では、洗面ボウルでの洗面動作を行い易く、且つ水の飛散および溢れを気にすることなくカウンターを洗浄することができる。なお、本発明では、第１カウンターおよび第２カウンターのうちの少なくとも一方のカウンターの下方に、引出し収納部を設けることが好ましい。この構成により、カウンターの下方のスペースを有効利用することができ、洗面器の使い勝手が、ひいては洗面化粧台の使い勝手が向上する。
【００１２】
本発明の実施形態を、添付図面に基づいて説明する。
図１は、本発明の実施形態にかかる洗面器が組み込まれた洗面化粧台の外観を概略的に示す斜視図である。また、図２は、本実施形態にかかる洗面器の外観を概略的に示す斜視図である。さらに、図３は、本実施形態にかかる洗面器の上面図である。
【００１３】
図１に示す洗面化粧台は、たとえば陶器や人工大理石や樹脂などで形成された本実施形態の洗面器１と、たとえば木製のベースキャビネット２０と、たとえばＨＩＰＳ（ハイ・インパクト・ポリスチレン）などで形成されたミラー収納キャビネット３０とで構成されている。
【００１４】
図２および図３を参照すると、本実施形態の洗面器１は、水槽の形態を有する洗面ボウル２と、洗面ボウル２の両側に隣接して設けられた一対のカウンター３および４とを備えている。ここで、洗面ボウル２には、排水口２ａが形成されている。また、洗面ボウル２の後縁部および一対のカウンター３，４の後縁部には、その後縁表面から上方へ延びたバックガード５が設けられている。バックガード５には、給水水栓５ａ（図３では不図示）が設置されている。
【００１５】
さらに、第１カウンター３の側縁部にはその側縁表面から上方へ延びた第１サイドガード６が設けられ、第２カウンター４の側縁部にはその側縁表面から上方へ延びた第２サイドガード７が設けられている。また、洗面ボウル２の前縁部および一対のカウンター３，４の前縁部には、その前縁表面から上方へ延びたフロントガード８が設けられている。
【００１６】
フロントガード８では、第１カウンター３の前方および第２カウンター４の前方における高さよりも洗面ボウル２の前方における高さの方が実質的に低く形成されている。さらに詳細には、フロントガード８は、両側（カウンター３，４の前方）において最も高く、その中央に向かって曲線的に低くなり、洗面ボウル２の中心部の前方において最も低くなっている。
【００１７】
また、本実施形態の洗面器１は、図２に示すように、洗面ボウル２を前方から覆うための幕板部９を備えている。そして、第１カウンター３の下方および第２カウンター４の下方において、幕板部９には一対の引出し収納部９ａおよび９ｂが設けられている。
【００１８】
以上のように、本実施形態では、一対のカウンター３，４が比較的高い一対のサイドガード６，７およびフロントガード８の比較的高い部分によって包囲されているので、水の飛散および溢れを気にすることなくカウンター３，４を洗浄することができる。具体的には、一対のカウンター３，４では、靴下などを洗濯する場合に汚れ物としての靴下や洗濯済みの靴下などを置いたり、洗髪する場合にシャンプーを置いたりする。この場合、一対のカウンター３，４はその使用後にある程度汚れるが、本実施形態では水の飛散および溢れを気にすることなくカウンター３，４を勢い良く水洗いすることができる。また、フロントガード８が洗面ボウル２の前方において比較的低くなっているので、フロントガード８によって洗面ボウル２での洗面動作が妨げられることはない。
【００１９】
また、本実施形態では、第１カウンター３の下方および第２カウンター４の下方において幕板部９には一対の引出し収納部９ａ，９ｂが設けられているので、カウンター３，４の下方のスペースを有効利用することができ、洗面器１の使い勝手が、ひいては洗面化粧台の使い勝手が向上する。
【００２０】
なお、上述の実施形態では、洗面ボウル２の両側に隣接して一対のカウンター３および４を設けているが、これに限定されることなく、洗面ボウル２の片側に隣接して１つのカウンターだけを設ける構成も可能である。
【００２１】
また、上述の実施形態では、一対のカウンター３，４の下方に一対の引出し収納部９ａ，９ｂを設けているが、これに限定されることなく、一対のカウンター３，４のうち、いずれか一方のカウンターの下方に引出し収納部を設けることもできる。
【００２２】
【発明の効果】
以上説明したように、本発明では、カウンターの前方における高さよりも洗面ボウルの前方における高さの方が実質的に低くなるようにフロントガードが形成されている。その結果、カウンターが比較的高いサイドガードおよびフロントガードの比較的高い部分によって包囲されるので、水の飛散および溢れを気にすることなくカウンターを洗浄することができる。
【００２３】
また、フロントガードが洗面ボウルの前方において比較的低くなるので、フロントガードによって洗面ボウルでの洗面動作が妨げられることはない。こうして、本発明では、洗面ボウルでの洗面動作を行い易く、且つ水の飛散および溢れを気にすることなくカウンターを洗浄することができる。
【００２４】
なお、本発明では、洗面ボウルの両側に設けられた第１カウンターおよび第２カウンターのうちの少なくとも一方のカウンターの下方に、引出し収納部を設けることが好ましい。この構成により、カウンターの下方のスペースを有効利用することができ、洗面器の使い勝手を、ひいては洗面化粧台の使い勝手を向上させることができる。
【図面の簡単な説明】
【図１】本発明の実施形態にかかる洗面器が組み込まれた洗面化粧台の外観を概略的に示す斜視図である。
【図２】本実施形態にかかる洗面器の外観を概略的に示す斜視図である。
【図３】本実施形態にかかる洗面器の上面図である。
【符号の説明】
１  洗面器
２  洗面ボウル
３，４  カウンター
５  バックガード
５ａ  給水水栓
６，７  サイドガード
８  フロントガード
９  幕板部
９ａ，９ｂ  引出し収納部
２０  ベースキャビネット
３０  ミラー収納キャビネット
【図１】
0004079628.tif 000002
【図２】
0004079628.tif 000003
【図３】
0004079628.tif 000004